(57)【要約】【課題】指を曲げたとき又は伸ばしたときに、指の付け根部分でひきつったような窮屈感を軽減して、指の屈曲動作が軽快になる手袋を提供する。【解決手段】指を覆う指部分が、甲側に位置する指甲部分と掌側に位置する指掌部分とからなり、中指掌部分及び薬指掌部分が手袋本体とは別体に形成され、中指掌部分及び薬指掌部分が、それぞれ先端側とは反対側の端部に中指掌部分付根端縁及び薬指掌部分付根端縁を備え、掌部分が、中指掌部分付根端縁を取り付ける中指掌部分取付縁部と、薬指掌部分付根端縁を取り付ける薬指掌部分取付縁部とを有し、中指掌部分取付縁部と薬指掌部分取付縁部とが連続して形成されるとともに、中指及び薬指の付け根よりも手首側に位置している。【選択図】図１
0003150717.tif 000002
【実用新案登録請求の範囲】
【請求項１】
着用者の手の甲を覆う甲部分と、該甲部分に連なり前記着用者の手の掌を覆う掌部分とからなる手袋本体を有し、前記手袋本体は、前記手の人差し指、中指、薬指、及び小指のそれぞれを覆う各指部分を備え、前記掌部分には、前記手の親指を覆う親指部分が取り付けられた手袋において、
前記各指部分が、前記手の甲側に位置する各指甲部分と前記手の掌側に位置する各指掌部分とからなり、
前記各指部分における前記各指掌部分のうち、少なくとも前記中指掌部分及び前記薬指掌部分が前記手袋本体とは別体に形成され、
前記中指掌部分及び前記薬指掌部分が、それぞれ先端側とは反対側の端部に中指掌部分付根端縁及び薬指掌部分付根端縁を備え、
前記掌部分が、前記中指掌部分付根端縁を取り付ける中指掌部分取付縁部と、前記薬指掌部分付根端縁を取り付ける薬指掌部分取付縁部とを有し、
前記中指掌部分取付縁部と前記薬指掌部分取付縁部とが連続して形成されるとともに、前記中指及び前記薬指の付け根よりも前記手の手首側に位置していることを特徴とする手袋。
【請求項２】
前記各指部分における前記各指甲部分のうち、少なくとも前記中指甲部分及び前記薬指甲部分が前記手袋本体とは別体に形成され、
前記中指甲部分及び前記薬指甲部分が、それぞれ先端側とは反対側の端部に中指甲部分付根端縁及び薬指甲部分付根端縁を備え、
前記甲部分が、前記中指甲部分付根端縁を取り付ける中指甲部分取付縁部と、前記薬指甲部分付根端縁を取り付ける薬指甲部分取付縁部とを有し、
前記中指甲部分取付縁部と前記薬指甲部分取付縁部とが連続して形成されるとともに、前記中指及び前記薬指の付け根よりも前記手の手首側に位置していることを特徴とする請求項１記載の手袋。
【請求項３】
着用者の手の甲を覆う甲部分と、該甲部分に連なり前記着用者の手の掌を覆う掌部分とからなる手袋本体を有し、前記手袋本体は、前記手の人差し指、中指、薬指、及び小指のそれぞれを覆う各指部分を備え、前記掌部分には、前記手の親指を覆う親指部分が取り付けられた手袋において、
前記各指部分が、前記手の甲側に位置する各指甲部分と前記手の掌側に位置する各指掌部分とからなり、
前記各指部分における前記各指掌部分のうち、少なくとも前記人差し指掌部分、前記中指掌部分及び前記薬指掌部分が前記手袋本体とは別体に形成され、
前記人差し指掌部分、中指掌部分及び前記薬指掌部分が、それぞれ先端側とは反対側の端部に人差し指掌部分付根端縁、中指掌部分付け根端縁及び薬指掌部分付根端縁を備え、
前記掌部分が、前記人差し指掌部分付根端縁を取り付ける人差し指掌部分取付縁部、前記中指掌部分付根端縁を取り付ける中指掌部分取付縁部、及び前記薬指掌部分付根端縁を取り付ける薬指掌部分取付縁部を有し、
前記人差し指掌部分取付縁部と中指掌部分取付縁部と前記薬指掌部分取付縁部とが連続して形成されるとともに、前記人差し指、前記中指及び前記薬指の付け根よりも前記手の手首側に位置していることを特徴とする手袋。
【請求項４】
前記各指部分における前記各指甲部分のうち、少なくとも前記人差し指甲部分、前記中指甲部分及び前記薬指甲部分が前記手袋本体とは別体に形成され、
前記人差し指甲部分、中指甲部分及び前記薬指甲部分が、それぞれ先端側とは反対側の端部に人差し指甲部分付根端縁、中指甲部分付根端縁及び薬指甲部分付根端縁を備え、
前記甲部分が、前記人差し指甲部分付根端縁を取り付ける人差し指甲部分取付縁部、前記中指甲部分付根端縁を取り付ける中指甲部分取付縁部、及び前記薬指甲部分付根端縁を取り付ける薬指甲部分取付縁部を有し、
前記人差し指甲部分取付縁部と中指甲部分取付縁部と前記薬指甲部分取付縁部とが連続して形成されるとともに、前記人差し指、前記中指及び前記薬指の付け根よりも前記手の手首側に位置していることを特徴とする請求項３記載の手袋。
【考案の詳細な説明】
【技術分野】
【０００１】
本考案は、手袋に関し、更に詳細には、装着して掌を握ったり開いたりしたときの指の屈曲動作が軽快な手袋に関する。
【背景技術】
【０００２】
従来、手袋には各種のものがある。特許文献１には、手に装着したときに手を握ったり開いたりしても指の付け根付近で突っ張り感やひきつり感を生じにくい改良された手袋が開示されている。特許文献１に開示された発明の手袋は、中指を包囲する部分のうち、指の甲側面を除いた掌側面を含む中指部分と、薬指を包囲する部分のうち、同じく指の甲側面を除いた掌側面を含む薬指部分とを他の部分とは別に形成し、これら中指部分と薬指部分は、単に掌側面だけではなく指の側面を覆う指側面部も備え、この指側面部の幅寸法が指先側から指股側に向かって大きくなっているものである。
【０００３】
特許文献１に開示された発明によると、中指部分と薬指部分とをそれぞれ独立して形成することによりこれらを独特な形状にでき、その結果、これら中指部分と薬指部分とを用いて形成された手袋は、手袋の指股が掌側で高く、甲側で低くなることから、かかる手袋を手に装着すると、手に良くなじみ、換言すれば、高いフィット感を得ることができる、とするものである。
【先行技術文献】
【特許文献】
【０００４】
【特許文献１】特開２００２―２７５７１3号公報
【考案の概要】
【考案が解決しようとする課題】
【０００５】
しかし、手袋を装着して指を曲げたときには、掌側の指の付け根のすぐ下の部分の皮膚が盛り上がり、その盛り上がった分だけ手袋の生地材（素材）が引き伸ばされて、その部分にひきつったような窮屈感がでる。また、指を曲げたときには、指の第１関節が曲がるためこの第１関節を覆う手袋の素材が引き伸ばされ、その結果、指の付け根付近から甲面に亘って圧迫する。このように、指を曲げたとき、指の付け根付近における掌と甲とに受ける圧迫感、即ち窮屈感は、前述した特許文献１に開示された発明では解決されない。本考案の目的は、かかる従来の問題点を解決するためになされたもので、手袋を装着して指を曲げたとき、指の付け根付近の掌と甲のいずれか一方又は両方に受ける圧迫感、即ち窮屈感を軽減するとともに、指の軽快な曲げ動作を可能にする手袋を提供することにある。
【課題を解決するための手段】
【０００６】
第１の考案に係る手袋は、着用者の手の甲を覆う甲部分と、この甲部分に連なり着用者の手の掌を覆う掌部分とからなる手袋本体を有し、手袋本体は、手の人差し指、中指、薬指、及び小指のそれぞれを覆う各指部分を備え、掌部分には、手の親指を覆う親指部分が取り付けられた手袋において、各指部分が、手の甲側に位置する各指甲部分と手の掌側に位置する各指掌部分とからなり、各指部分における各指掌部分のうち、少なくとも中指掌部分及び薬指掌部分が手袋本体とは別体に形成され、中指掌部分及び薬指掌部分が、それぞれ先端側とは反対側の端部に中指掌部分付根端縁及び薬指掌部分付根端縁を備え、掌部分が、中指掌部分付根端縁を取り付ける中指掌部分取付縁部と、薬指掌部分付根端縁を取り付ける薬指掌部分取付縁部とを有し、中指掌部分取付縁部と薬指掌部分取付縁部とが連続して形成されるとともに、前記中指及び前記薬指の付け根よりも前記手の手首側に位置していることを特徴としている。
【０００７】
第１の考案に係る手袋の一実施形態は、更に各指部分における各指甲部分のうち、中指甲部分及び薬指甲部分が手袋本体とは別体に形成され、中指甲部分及び薬指甲部分が、それぞれ先端側とは反対側の端部に中指甲部分付根端縁及び薬指甲部分付根端縁を備え、甲部分が、中指甲部分付根端縁を取り付ける中指甲部分取付縁部と、薬指甲部分付根端縁を取り付ける薬指甲部分取付縁部とを有し、中指甲部分取付縁部と薬指甲部分取付縁部とが連続して形成されるとともに、中指及び薬指の付け根よりも手の手首側に位置していることを特徴としている。
【０００８】
また、第２の考案に係る手袋は、着用者の手の甲を覆う甲部分と、甲部分に連なり着用者の手の掌を覆う掌部分とからなる手袋本体を有し、手袋本体は、手の人差し指、中指、薬指、及び小指のそれぞれを覆う各指部分を備え、掌部分には、手の親指を覆う親指部分が取り付けられた手袋において、各指部分が、手の甲側に位置する各指甲部分と手の掌側に位置する各指掌部分とからなり、各指部分における各指掌部分のうち、少なくとも人差し指掌部分、中指掌部分及び薬指掌部分が手袋本体とは別体に形成され、人差し指掌部分、中指掌部分及び薬指掌部分が、それぞれ先端側とは反対側の端部に人差し指掌部分付根端縁、中指掌部分付け根端縁及び薬指掌部分付根端縁を備え、掌部分が、人差し指掌部分付根端縁を取り付ける人差し指掌部分取付縁部、中指掌部分付根端縁を取り付ける中指掌部分取付縁部、及び薬指掌部分付根端縁を取り付ける薬指掌部分取付縁部を有し、人差し指掌部分取付縁部と中指掌部分取付縁部と薬指掌部分取付縁部とが連続して形成されるとともに、人差し指、中指及び薬指の付け根よりも手の手首側に位置していることを特徴としている。
【０００９】
第２の考案に係る手袋の一実施形態は、更に各指部分における各指甲部分のうち、人差し指甲部分、中指甲部分及び薬指甲部分が手袋本体とは別体に形成され、人差し指甲部分、中指甲部分及び薬指甲部分が、それぞれ先端側とは反対側の端部に人差し指甲部分付根端縁、中指甲部分付根端縁及び薬指甲部分付根端縁を備え、甲部分が、人差し指甲部分付根端縁を取り付ける人差し指甲部分取付縁部、中指甲部分付根端縁を取り付ける中指甲部分取付縁部、及び薬指甲部分付根端縁を取り付ける薬指甲部分取付縁部を有し、人差し指甲部分取付縁部と中指甲部分取付縁部と薬指甲部分取付縁部とが連続して形成されるとともに、人差し指、中指及び薬指の付け根よりも手の手首側に位置していることを特徴としている。
【考案の効果】
【００１０】
第１の考案に係る手袋によれば、手袋本体と別体に形成された中指掌部分及び薬指掌部分の各付根端縁を取り付ける中指掌部分取付縁部及び薬指掌部分取付縁部が、中指及び薬指の付け根よりも手の手首側に位置しているので、中指及び薬指の掌側の各付け根部分と中指掌部分取付縁部及び薬指掌部分取付縁部との間の領域に、たるみを形成することが容易にでき、その結果、このたるみが、中指、薬指を曲げたとき、中指、薬指の各付け根よりも手首側で盛り上がる皮膚を覆うことになる。これにより、手袋の掌側において、素材のひきつりによる窮屈感が軽減されて中指及び薬指の屈曲動作が軽快になる。
【００１１】
第１の考案に係る一実施形態の手袋によれば、中指甲部分及び薬指甲部分も手袋本体とは別体に形成され、これら中指甲部分及び薬指甲部分の各付根端縁を取り付ける甲部分の中指甲部分取付縁部及び薬指甲部分取付縁部が、中指及び薬指の付け根よりも手の手首側に位置しているので、中指及び薬指の甲側の各付け根部分と中指甲部分取付縁部及び薬指甲部分取付縁部との間の領域にたるみを形成することが容易にでき、このたるみが、中指、薬指を曲げたとき、手袋の甲側において、素材のひきつりによる窮屈感を軽減して中指及び薬指の屈伸動作を軽快にする。
【００１２】
また、第２の考案に係る手袋によれば、人差し指掌部分、中指掌部分及び薬指掌部分が手袋本体とは別体に形成され、人差し指掌部分、中指掌部分及び薬指掌部分の各付根端縁を取り付ける人差し指掌部分取付縁部、中指掌部分取付縁部、及び薬指掌部分取付縁部が、人差し指、中指及び薬指の付け根よりも手の手首側に位置しているので、人差し指、中指及び薬指の掌側各付根端縁と前述した各取付縁部との間の領域にたるみを形成することが容易にでき、このたるみが、人差し指、中指及び薬指を曲げたとき、人差し指、中指及び薬指の各付根部よりも手首側で盛り上がる皮膚を覆うことになる。これにより、手袋の掌側において、素材のひきつりによる窮屈感が軽減されて中指及び薬指に加えて人差し指の屈曲動作も軽快になる。
【００１３】
第２の考案に係る一実施形態の手袋によれば、人差し指甲部分、中指甲部分及び薬指甲部分も手袋本体と別体に形成され、これら人差し指甲部分、中指甲部分及び薬指甲部分の各付根端縁を取り付ける人差し指甲部分取付縁部、中指甲部分取付縁部及び薬指甲部分取付縁部が、人差し指、中指及び薬指の付け根よりも手の手首側に位置しているので、人差し指、中指及び薬指の甲側の各付け根部分と前述した各取付縁部との間の領域にたるみを形成することが容易にでき、その結果、このたるみが、人差し指、中指及び薬指を曲げたとき、手袋の甲側において、素材のひきつりによる窮屈感を軽減して人差し指、中指及び薬指の屈伸動作を軽快にする。
【図面の簡単な説明】
【００１４】
【図１】第１の考案に係る一実施形態の手袋を掌側から見た平面図。
【図２】図１に示される手袋を構成する手袋本体及び指部分の構成部品を示す展開図。
【図３】図１に示される手袋を手に装着して示す斜視図。
【図４】第１の考案に係る他の実施形態の手袋を甲側から見た平面図。
【図５】図４に示される手袋を構成する手袋本体及び指部分の構成部品を示す展開図。
【図６】第２の考案に係る一実施形態の手袋を掌側から見た斜視図。
【図７】図６に示される手袋を構成する手袋本体及び指部分の構成部品を示す展開図。
【図８】第２の考案に係る他の実施形態の手袋を甲側から見た平面図。
【図９】図８に示される手袋を構成する手袋本体及び指部分の構成部品を示す展開図。
【考案を実施するための形態】
【００１５】
以下、本考案の手袋を、図に示される実施形態について更に詳細に説明する。一般的な手袋は、左右一対で構成され、それら左右の手袋は、実質的に同じ構成で作られている。そのため、以下説明する本考案の実施形態に係る手袋についても、一方の手袋についてその構成を説明し、他方の手袋についての説明を省略する。図１は、本考案の第１実施形態に係る手袋（左手用）１０Ａを掌側から見た状態で示す斜視図、図２は、図１に示される手袋１０Ａを製作する際の各部品を示す平面図、図３は、図１に示される手袋１０Ａを着用した状態を示す斜視図である。この実施形態に係る手袋１０Ａは、図３に示されるように、着用者の手５０の甲５１を覆う甲部分１１Ａと、甲部分に連なって手５０の掌５２を覆う掌部分１１Ｂとからなる手袋本体１２Ａ（図２参照）を有している。手袋１０Ａは、手５０の人差し指５３、中指５４、薬指５５、及び小指５６のそれぞれを覆う各指部分１３〜１６を備えている。そして、掌部分１１Ｂには、手５０の親指５７を覆う親指部分１７が取り付けられている。
【００１６】
図２（ａ）は、手袋１０Ａを製造する前の一部品である手袋本体１２Ａを平面的に広げた状態（展開状態）で示す平面図であり、この展開状態の手袋本体１２Ａは、甲部分１１Ａと掌部分１１Ｂとが折り線１８を挟んで一体に、すなわち１枚の素材で形成されている。手袋本体１２Ａの甲部分１１Ａには、人差し指部分１３、中指部分１４、薬指部分１５及び小指部分１６のそれぞれの指甲部分１３ａ〜１６ａが一体に形成され、したがって手袋本体１２Ａの構成要素には、各指甲部分１３ａ〜１６ａが含まれる。また、手袋本体１２Ａの掌部分１１Ｂには、人差し指部分１３の人差し指掌部分１３ｂと小指部分１６の小指掌部分１６ｂとが一体に形成され、したがって手袋本体１２Ａの構成要素には、各指掌部分１３ｂ，１６ｂが含まれる。手袋本体１２Ａにおいて、甲部分１１Ａに形成されている人差し指甲部分１３ａと掌部分１１Ｂに形成されている人差し指掌部分１３ｂとは、折り線１８を挟んで連なっている。手袋本体１２Ａを折り線１８で折り重ねると、甲部分１１Ａと掌部分１１Ｂとが重なり合い、更に人差し指甲部分１３ａと人差し指掌部分１３ｂとが重なり合うとともに小指甲部分１６ａと小指掌部分１６ｂとが重なり合う。
【００１７】
手袋本体１２Ａの掌部分１１Ｂには、親指部分１７が縫製などにより接続される環状の縁部１９が形成されている。この縁部１９の内側は、親指５７が通過可能な大きさの開口となっている。また、手袋本体１２Ａの掌部分１１Ｂにおいて、人差し指掌部分１３ｂと小指掌部分１６ｂとが向かい合う側の各付根部２０，２１の間には、掌部分１１Ｂの内方（手袋１０Ａの手挿入口側へ向かう方向）に向かう凹所２２が湾曲して画成されている。この凹所２２を画成している曲線部は、中指掌部分取付縁部２３と薬指掌部分取付縁部２４とからなり、手袋本体１２Ａとは別体に形成された中指掌部分１４ｂ及び薬指掌部分１５ｂ（図２（ｂ），（ｃ）参照）を取り付ける縁部である。中指掌部分取付縁部２３と薬指掌部分取付縁部２４とは、連続している。なお、中指掌部分取付縁部２３、薬指掌部分取付縁部２４の各領域は、図２（ａ）中一点鎖線で示してある。両取付縁部２３，２４は、着用者の手５０の掌５２における中指５４及び薬指５５の各付け根５４ａ，５５ａよりも手首側に位置している。
【００１８】
図２（ｂ），（ｃ）は、手袋１０Ａを製造する前の一部品として手袋本体１２Ａとは別体に形成されている中指掌部分１４ｂと薬指掌部分１５ｂとを平面的に広げた状態（展開状態）で示す平面図である。中指掌部分１４ｂは、中指５４の掌側を覆うもので、先端側の弧状縁部（指先側）１４ｃから連続的に延びる両側縁部１４ｄを備えている。この中指掌部分１４ｂの先端側とは反対側の端部（指付根側）には、中指掌部分第１付根端縁１４ｅと中指掌部分第２付根端縁１４ｆとが形成されている。中指掌部分第１付根端縁１４ｅの一端は、人差し指掌部分１３ｂに隣接する側縁部１４ｄに交差し、他端は、中指掌部分第２付根端縁１４ｆの一端と鋭角に交差している。
【００１９】
中指掌部分第２付根端縁１４ｆの他端は、薬指掌部分１５ｂに隣接する側縁部１４ｄと交差している。また、薬指掌部分１５ｂは、薬指５５の掌側を覆うもので、先端側の弧状縁部（指先側）１５ｃから連続的に延びる両側縁部１５ｄを備えている。この薬指掌部分１５ｂの先端側とは反対側の端部（指付根側）には、薬指掌部分第１付根端縁１５ｅと薬指掌部分第２付根端縁１５ｆとが形成されている。薬指掌部分第１付根端縁１５ｅの一端は、小指掌部分１６ｂに隣接する側縁部１５ｄに交差し、他端は、薬指掌部分第２付根端縁１５ｆの一端と鋭角に交差している。薬指掌部分第２付根端縁１５ｆの他端は、中指掌部分１４ｂに隣接する側縁部１５ｄと交差している。
【００２０】
中指部分１４、薬指部分１５におけるそれぞれの指掌部分１４ｂ，１５ｂの各掌部分第２付根端縁１４ｆ，１５ｆは、縫製などによって相互に接続される。また、中指掌部分１４ｂ、薬指掌部分１５ｂの各指掌部分第１付根端縁１４ｅ，１５ｅは手袋本体１２Ａの掌部分１１Ｂに形成されている中指掌部分取付縁部２３、薬指掌部分取付縁部２４に縫製などにより接続される。更に、図２（ｄ）は、手袋１０Ａを製造する前の一部品として手袋本体１２Ａ、中指掌部分１４ｂ、及び薬指掌部分１５ｂとは別体に形成されている親指部分１７を平面的に広げた状態（展開状態）で示す平面図であり、この展開状態の親指部分１７は、親指甲部分１７ａと親指掌部分１７ｂとが折り線１７ｃを境に一体に形成されている。親指部分１７における親指甲部分１７ａと親指掌部分１７ｂとは、それぞれ弧状縁部（指先側）１７ｄ，１７ｅを備え、これら弧状縁部１７ｄ，１７ｅは、折り線１７ｃの一端で交差している。
【００２１】
また、各弧状縁部１７ｄ，１７ｅは、親指甲部分１７ａ及び親指掌部分１７ｂそれぞれの外側縁部１７ｆ，１７ｇへと繋がり、指先側とは反対側の付根部へ向かって連続的に延びている。親指甲部分１７ａと親指掌部分１７ｂの付根側には、それぞれ付根端縁部１７ｈ，１７ｉが形成され、これら付根端縁部１７ｈ，１７ｉは、外方に向かって凸状の曲線で形成されている。各付根端縁部１７ｈ，１７ｉの一端は、両外側縁部１７ｆ，１７ｇのそれぞれ他端に鋭角に交差し、また、各付根端縁部１７ｈ，１７ｉの他端は、折り線１７ｃの他端と交差している。このように展開された親指部分１７全体の平面形状は、蝉の羽に似ている。
【００２２】
かかる展開状態の親指部分１７は、折り線１７ｃで折り返されて親指甲部分１７ａと親指掌部分１７ｂとが重ね合わされ、各弧状縁部１７ｄ，１７ｅどうしが縫製などにより接続されるとともに、各外側縁部１７ｆ，１７ｇどうしが同様に縫製などにより接続される。これにより、親指部分１７は、先端が閉塞した筒状体となり、その付根端縁部１７ｈ，１７ｉは、この筒状体内への開口部を画成する周囲縁部となる。このようにして形成された筒状の親指部分１７は、付根端縁部１７ｈ，１７ｉによる周囲縁部を手袋本体１２Ａの掌部分１１Ｂに形成されている親指部分取付用の環状縁部１９に縫製などにより接続されることで手袋本体１２Ａの掌部分１１Ｂに一体化される。
【００２３】
前述したように、親指部分１７が手袋本体１２Ａの掌部分１１Ｂに取り付けられ、中指部分１４の中指掌部分１４ｂ及び薬指部分１５の薬指掌部分１５ｂがそれぞれ掌部分１１Ｂに取り付けられると、手袋本体１２Ａが折り線１８で折り返されて、甲部分１１Ａと掌部分１１Ｂとが重ね合される。これにより、人差し指部分１３の人差し指甲部分１３ａと人差し指掌部分１３ｂ、中指部分１４の中指甲部分１４ａと中指掌部分１４ｂ、薬指部分１５の薬指甲部分１５ａと薬指掌部分１５ｂ、及び小指部分１６の小指甲部分１６ａと小指掌部分１６ｂとが重なる。
【００２４】
次いで、甲部分１１Ａと掌部分１１Ｂの各外側縁部２５ａ，２５ｂどうしが縫製などによって接続されるとともに、それぞれの指部分１３〜１６における各指甲部分１３ａ〜１６ａの側縁部と各指掌部分１３ｂ〜１６ｂの側縁部どうしが縫製などによって接続されて筒状に形成され、これにより、手袋１０Ａが形成される。なお、手袋１０Ａは、布、皮革、合成皮革、またはそれらを組み合わせた素材等で製造することができるが、例えば、化学合成繊維、綿などの繊維及び合成皮革のような伸縮性の素材で製造することは、手袋着用者の指のさらなる動きやすさを得ることができるので好ましい。
【００２５】
上述したような構成の本考案に係る手袋１０Ａによれば、中指部分１４の中指掌部分１４ｂ、薬指部分１５の薬指掌部分１５ｂがそれぞれ手袋本体１２Ａと別体に形成され、これら指掌部分１４ｂ，１５ｂの各掌部分第１付根端縁１４ｅ，１５ｅが、それぞれ手袋本体１２Ａの掌部分１１Ｂに形成されている中指掌部分取付縁部２３、薬指掌部分取付縁部２４に接続されていて、中指掌部分取付縁部２３、薬指掌部分取付縁部２４は、中指５４及び薬指５５の各付け根５４ａ，５５ａよりも手５０の手首側に位置しているので、中指５４及び薬指５５の掌側の各付け根５４ａ，５５ａと中指掌部分取付縁部２３、薬指掌部分取付縁部２４との間の領域を大きく形成することが容易にでき、この領域が、手５０の中指５４及び薬指５５を曲げたとき、たるみとなる。一般に、手５０の中指５４及び薬指５５が曲がるとそれらの各付け根５４ａ，５５ａよりも僅かに手首側では、皮膚が盛り上がる。その皮膚の盛り上がりはたるみによって圧迫されることがない。その結果、手袋１０Ａの掌側において、素材のひきつりによる窮屈感が軽減されて中指５４及び薬指５５の屈曲動作が軽快になる。
【００２６】
上述の第１実施形態に係る手袋１０Ａの甲側にさらなる工夫を加えた第２実施形態に係る手袋１０Ｂについて、図４及び図５を参照して説明する。図４は、手袋１０Ｂを甲側から見た状態で示す斜視図、図５は、図４に示される手袋１０Ｂを製作する際の各部品を示す平面図である。なお、手袋１０Ｂの掌部分の構成は、上述した手袋１０Ａと同じである。従って、この実施形態に係る手袋１０Ｂにおいて、説明の便宜上、第１実施形態に係る手袋１０Ａに対応する構成部分には、図１〜図３に付した参照符号と同じ参照符号を図４及び図５に付してその詳細な説明を省略する。手袋１０Ｂは、着用者の手５０の甲５１を覆う甲部分１１Ａと、甲部分１１Ａに連なって掌５２を覆う掌部分１１Ｂとからなる手袋本体１２Ｂを有している。
【００２７】
図５（ａ）は、手袋１０Ｂを製造する前の一部品である手袋本体１２Ｂを平面的に広げた状態（展開状態）で示す平面図であり、この展開状態の手袋本体１２Ｂは、甲部分１１Ａと掌部分１１Ｂとが折り線１８を挟んで一体に形成されている。甲部分１１Ａには、人差し指部分１３及び小指部分１６それぞれの人差し指甲部分１３ａ及び小指甲部分１６ａが一体に形成されている。手袋本体１２Ｂにおいて、甲部分１１Ａに形成されている人差し指甲部分１３ａと掌部分１１Ｂに形成されている人差し指掌部分１３ｂとは、折り線１８を挟んで連なっている。手袋本体１２Ｂを折り線１８で折り重ねると、甲部分１１Ａと掌部分１１Ｂとが重なり合い、更に人差し指甲部分１３ａと人差し指掌部分１３ｂとが重なり合うとともに小指甲部分１６ａと小指掌部分１６ｂとが重なり合う。
【００２８】
手袋本体１２Ｂの甲部分１１Ａにおいて、人差し指甲部分１３ａと小指甲部分１６ａとが向かい合う側の各付根部２６，２７の間には、甲部分１１Ａの内方（手袋１０Ｂの手挿入口側へ向かう方向）に向かう凹所２８が湾曲して画成されている。この凹所２８を画成している曲線部は、中指甲部分取付縁部２９と薬指甲部分取付縁部３０とからなり、手袋本体１２Ｂとは別体に形成された中指甲部分３１及び薬指甲部分３２（図５（ｂ），（ｃ）参照）を取り付ける縁部である。なお、中指甲部分取付縁部２９、薬指甲部分取付縁部３０の各領域は、図５（ａ）中一点鎖線で示され、両取付縁部２９，３０は連続している。両取付縁部２９，３０は、着用者の手５０の中指５４及び薬指５５の甲側の付け根５４ｂ，５５ｂよりも手首側に位置している。
【００２９】
図５（ｂ），（ｃ）は、手袋１０Ｂを製造する前の一部品として手袋本体１２Ｂとは別体に形成されている中指甲部分３１と薬指甲部分３２とを平面的に広げた状態（展開状態）で示す平面図である。中指甲部分３１は、中指５４の甲側を覆うものである。また、薬指甲部分３２は、薬指５５の甲側を覆うもので、それぞれの先端側の弧状縁部（指先側）３１ａ，３２ａから連続的に延びる両側縁部３１ｂ，３２ｂを備えている。中指甲部分３１の先端側とは反対側の端部（指付け根側）には、中指甲部分第１付根端縁３１ｃと中指甲部分第２付根端縁３１ｄとが形成されている。薬指甲部分３２の先端側とは反対側の端部（指付け根側）には、薬指甲部分第１付根端縁３２ｃと薬指甲部分第２付根端縁３２ｄとが形成されている。中指甲部分第１付根端縁３１ｃの一端は、人差し指甲部分１３ａに隣接する側縁部３１ｂに交差し、他端は、中指甲部分第２付根端縁３１ｄの一端と鋭角に交差している。中指甲部分第２付根端縁３１ｄの他端は、薬指甲部分３２に隣接する側縁部３１ｂと交差している。
【００３０】
薬指甲部分第１付根端縁３２ｃの一端は、小指甲部分１６ａに隣接する側縁部３２ｂに交差し、他端は、薬指甲部分第２付根端縁３２ｄの一端と鋭角に交差している。薬指甲部分第２付根端縁３２ｄの他端は、中指甲部分３１に隣接する側縁部３２ｂと交差している。中指部分１４、薬指部分１５におけるそれぞれの指甲部分３１，３２の各甲部分第２付根端縁３１ｄ，３２ｄは、縫製などによって相互に接続される。また、中指甲部分３１、薬指甲部分３２の各指甲部分第１付根端縁３１ｃ，３２ｃは手袋本体１２Ｂの甲部分１１Ａに形成されている中指甲部分取付縁部２９、薬指甲部分取付縁部３０に縫製などにより接続される。そして、中指甲部分３１と中指掌部分１４ｂ（図２参照）とは、その周縁部どうしが縫製などにより接続される。同様に、薬指甲部分３２と薬指掌部分１５ｂ（図２参照）とは、その周縁部どうしが縫製などにより接続される。
【００３１】
上述したような構成の本考案に係る手袋１０Ｂによれば、前述した第１実施形態に係る手袋１０Ａの構成に加えて中指部分１４の中指甲部分３１及び薬指部分１５の薬指甲部分３２も手袋本体１２Ｂと別体に形成され、これら中指甲部分３１及び薬指甲部分３２の各甲部分第１付け根端縁３１ｃ，３２ｃが、それぞれ手袋本体１２Ｂの甲部分１１Ａに形成されている中指甲部分取付縁部２９、薬指甲部分取付縁部３０に接続されていて、中指甲部分取付縁部２９、薬指甲部分取付縁部３０は、中指５４及び薬指５５の甲側の各付け根５４ｂ，５５ｂよりも手５０の手首側に位置しているので、中指５４及び薬指５５の甲側の各付け根５４ｂ，５５ｂと中指甲部分取付縁部２９及び薬指甲部分取付縁部３０との間の領域を大きく形成することが容易にでき、この領域がたるみとなる。その結果、中指５４、薬指５５を曲げたとき、手袋１０Ｂの甲側において、素材のひきつりによる窮屈感、換言すれば、手５０の甲５１における第１関節への圧迫感が軽減されて中指５４及び薬指５５の屈伸動作が軽快になる。
【００３２】
図６は、本考案の第３実施形態に係る手袋（左手用）１０Ｃを着用者の手５０に着用した状態で掌側から見た斜視図、図７は、図６に示される手袋１０Ｃを製作する際の各部品を示す平面図である。この実施形態に係る手袋１０Ｃについても第１実施形態に係る手袋１０Ａと同じ構成部分又は相当する構成部分には、同じ参照符号を図６及び図７に付してそれらの詳細な説明を省略する。手袋１０Ｃは、着用者の手５０の甲５１を覆う甲部分１１Ａと、甲部分１１Ａに連なって手５０の掌５２を覆う掌部分１１Ｂとからなる手袋本体１２Ｃを有している。手袋本体１２Ｃは、手５０の人差し指５３、中指５４、薬指５５、及び小指５６のそれぞれを覆う各指部分１３〜１６を備えている。そして、掌部分１１Ｂには、手５０の親指５７を覆う親指部分１７が取り付けられている。
【００３３】
図７（ａ）は、手袋１０Ｃを製造する前の一部品である手袋本体１２Ｃを平面的に広げた状態（展開状態）で示す平面図であり、この展開状態の手袋本体１２Ｃは、甲部分１１Ａと掌部分１１Ｂとが折り線１８を挟んで一体に、すなわち１枚の素材で形成されている。手袋本体１２Ｃの甲部分１１Ａには、人差し指部分１３、中指部分１４、薬指部分１５及び小指部分１６のそれぞれの指甲部分１３ａ〜１６ａが一体に形成され、したがって手袋本体１２Ｃの構成要素には、これらの各指甲部分１３ａ〜１６ａが含まれる。また、手袋本体１２Ｃの掌部分１１Ｂには、小指部分１６の小指掌部分１６ｂが一体に形成され、したがって手袋本体１２Ｃの構成要素には、この小指掌部分１６ｂが含まれる。手袋本体１２Ｃを折り線１８で折り重ねると、甲部分１１Ａと掌部分１１Ｂとが重なり合い、更に小指甲部分１６ａと小指掌部分１６ｂとが重なり合う。
【００３４】
手袋本体１２Ｃの掌部分１１Ｂには、第１実施形態に係る手袋１０Ａと同様に、親指部分１７が縫製などにより接続される環状の縁部１９が形成されている。そして、手袋本体１２Ｃの掌部分１１Ｂにおいて、甲部分１１Ａにおける人差し指甲部分１３ａの付け根３３を起点として小指掌部分１６ｂの付け根２１までの間には、掌部分１１Ｂの内方（手袋１０Ｃの手挿入口側へ向かう方向）に向かう凹所３４が湾曲して画成されている。この凹所３４の縁部は、手袋本体１２Ｃとは別体に形成された人差し指掌部分３５、中指掌部分３６及び薬指掌部分３７（図７（ｂ），（ｃ），（ｄ）参照）を取り付ける縁部であり、人差し指掌部分取付縁部３８、中指掌部分取付縁部３９、及び薬指掌部分取付縁部４０とからなっている。なお、人差し指掌部分取付縁部３８、中指掌部分取付縁部３９、及び薬指掌部分取付縁部４０の各領域は、図７（ａ）中一点鎖線で示され、各取付縁部３８，３９，４０は連続している。各取付縁部３８，３９，４０は、着用者の手５０の人差し指５３、中指５４及び薬指５５の掌側での各付け根５３ａ，５４ａ，５５ａよりも手首側に位置している。
【００３５】
図７（ｂ），（ｃ），（ｄ）は、手袋１０Ｃを製造する前の一部品として手袋本体１２Ｃとは別体に形成されている人差し指掌部分３５、中指掌部分３６及び薬指掌部分３７を平面的に広げた状態（展開状態）で示す平面図である。人差し指掌部分３５、中指掌部分３６、薬指掌部分３７は、それぞれ人差し指５３、中指５４、薬指５５の掌側を覆うもので、それぞれの先端側の弧状縁部（指先側）３５ａ，３６ａ，３７ａから連続的に延びる両側縁部３５ｂ，３６ｂ，３７ｂを備えている。人差し指掌部分３５の先端側とは反対側の端部（指付け根側）には、人差し指掌部分第１付根端縁３５ｃと人差し指掌部分第２付根端縁３５ｄとが形成されている。
【００３６】
中指掌部分３６の先端側とは反対側の端部（指付け根側）には、中指掌部分第１付根端縁３６ｃと、一対の中指掌部分第２付根端縁３６ｄとが形成されている。薬指掌部分３７の先端側とは反対側の端部（指付け根側）には、薬指掌部分第１付根端縁３７ｃと薬指掌部分第２付根端縁３７ｄとが形成されている。人差し指掌部分３５、中指掌部分３６、薬指掌部分３７における各第１付根端縁３５ｃ，３６ｃ，３７ｃは、凹所３４を画成している各取付縁部３８，３９，４０に縫製などにより接続される。また、人差し指掌部分３５の第２付根端縁３５ｄは、中指掌部分３６における一方の第２付根端縁３６ｄに縫製などにより接続され、中指掌部分３６における他方の第２付根端縁３６ｄは、薬指掌部分３７における第２付根端縁３７ｄに縫製などにより接続される。
【００３７】
上述したような構成の本考案に係る手袋１０Ｃによれば、人差し指部分１３の人差し指掌部分３５と、中指部分１４の中指掌部分３６と、薬指部分１５の薬指掌部分３７とがそれぞれ手袋本体１２Ｃと別体に形成され、これら指掌部分３５〜３７の各掌部分第１付根端縁３５ｃ，３６ｃ，３７ｃのそれぞれを接続する個所となる手袋本体１２Ｃにおける掌部分１１Ｂの人差し指掌部分取付縁部３８，中指掌部分取付縁部３９及び薬指掌部分取付縁部４０が、人差し指５３、中指５４及び薬指５５の掌側の各付け根５３ａ，５４ａ，５５ａよりも手５０の手首側に位置しているので、人差し指５３、中指５４及び薬指５５の掌側の各付け根５３ａ，５４ａ，５５ａと人差し指掌部分取付縁部３８、中指掌部分取付縁部３９及び薬指掌部分取付縁部４０との間の領域を大きく形成することが容易にでき、この領域が、手５０の人差し指５３、中指５４及び薬指５５を曲げたとき、たるみとなる。その結果、このたるみが、手５０の掌５２に対する圧迫感、即ち窮屈感をなくし、人差し指５３、中指５４及び薬指５５の動きを軽快にする。
【００３８】
次に、上述の第３実施形態に係る手袋１０Ｃの甲側にさらなる工夫を加えた第４実施形態に係る手袋１０Ｄについて、図８及び図９を参照して説明する。図８は、手袋１０Ｄを甲側から見た状態で示す斜視図、図９は、図８に示される手袋１０Ｄを製作する際の各部品を示す平面図である。なお、手袋１０Ｄの掌部分の構成は、上述した第３実施形態の手袋１０Ｃと同じである。従って、この実施形態に係る手袋１０Ｄにおいて、説明の便宜上、第３実施形態に係る手袋１０Ｃに対応する構成部分については、図６及び図７に付した参照符号と同じ参照符号を図８及び図９に付してその説明を省略する。
【００３９】
手袋１０Ｄ、着用者の手５０の甲５１を覆う甲部分１１Ａと、甲部分１１Ａに連なって掌５２を覆う掌部分１１Ｂとからなる手袋本体１２Ｄを有している。図９（ａ）は、手袋１０Ｄを製造する前の一部品である手袋本体１２Ｄを平面的に広げた状態（展開状態）で示す平面図であり、この展開状態の手袋本体１２Ｄは、甲部分１１Ａと掌部分１１Ｂとが折り線１８を挟んで一体に形成されている。甲部分１１Ａには、小指部分１６の小指甲部分１６ａが一体に形成されている。手袋本体１２Ｄを折り線１８で折り重ねると、甲部分１１Ａと掌部分１１Ｂとが重なり合い、更に小指甲部分１６ａと小指掌部分１６ｂとが重なり合う。
【００４０】
手袋本体１２Ｄの掌部分１１Ｂには、第３実施形態に係る手袋１０Ｃと同様に、親指部分１７が縫製などにより接続される環状の縁部１９が形成されている。そして、手袋本体１２Ｄの甲部分１１Ａには、凹所４１が形成されている。すなわち、凹所４１は、掌部分１１Ｂに画成された凹所３４を部分的に画成している人差し指掌部分取付縁部３８と折り線１８との交点３３を起点として小指甲部分１６ａの付け根２７までの間に、甲部分１１Ａの内方（手袋１０Ｄの手挿入口側へ向かう方向）に向かうように湾曲して画成されている。
【００４１】
この凹所４１の縁部は、手袋本体１２Ｄとは別体に形成された人差し指甲部分４２、中指甲部分４３及び薬指甲部分４４（図９（ｂ），（ｃ），（ｄ）参照）を取り付ける縁部であり、人差し指甲部分取付縁部４５、中指甲部分取付縁部４６、及び薬指甲部分取付縁部４７とからなっている。なお、人差し指甲部分取付縁部４５、中指甲部分取付縁部４６、及び薬指甲部分取付縁部４７の各領域は、図９（ａ）中一点鎖線で示され、各取付縁部４５，４６，４７は連続している。各取付縁部４５，４６，４７は、着用者の手５０の人差し指５３、中指５４及び薬指５５の甲側での各付け根５３ｂ，５４ｂ，５５ｂよりも手首側に位置している。
【００４２】
図９（ｂ），（ｃ），（ｄ）は、手袋１０Ｄを製造する前の一部品として手袋本体１Ｄとは別体に形成されている人差し指甲部分４２と中指甲部分４３と薬指甲部分４４とを平面的に広げた状態（展開状態）で示す平面図である。人差し指甲部分４２、中指甲部分４３、薬指甲部分４４は、それぞれ、人差し指５３、中指５４、薬指５５の甲側を覆うもので、それぞれの先端側の弧状縁部（指先側）４２ａ，４３ａ，４４ａから連続的に延びる両側縁部４２ｂ，４３ｂ，４４ｂを備えている。人差し指甲部分４２の先端側とは反対側の端部（指付け根側）には、人差し指甲部分第１付根端縁４２ｃと人差し指甲部分第２付根端縁４２ｄとが形成されている。中指甲部分４３の先端側とは反対側の端部（指付け根側）には、中指甲部分第１付根端縁４３ｃと、一対の中指甲部分第２付根端縁４３ｄとが形成されている。
【００４３】
薬指甲部分４４の先端側とは反対側の端部（指付け根側）には、薬指甲部分第１付根端縁４４ｃと薬指甲部分第２付根端縁４４ｄとが形成されている。人差し指甲部分４２、中指甲部分４３、薬指甲部分４４における各第１付根端縁４２ｃ，４３ｃ，４４ｃは、凹所４１を画成している各取付縁部４５，４６，４７に縫製などにより接続される。また、人差し指甲部分４２の第２付根端縁４２ｄは、中指甲部分４３における一方の第２付根端縁４３ｄに縫製などにより接続され、中指甲部分４３における他方の第２付根端縁４３ｄは、薬指甲部分４４における第２付根端縁４４ｄに縫製などにより接続される。
【００４４】
上述したような構成の本考案に係る手袋１０Ｄによれば、前述した第３実施形態に係る手袋１０Ｃの構成に加えて人差し指部分１３の人差し指甲部分４２、中指部分１４の中指甲部分４３、薬指部分１５の薬指甲部分４４がそれぞれ手袋本体１２Ｄと別体に形成され、これらの各指甲部分４２，４３，４４における各甲部分第１付け根端縁４２ｃ，４３ｃ，４４ｃが、それぞれ手袋本体１２Ｄの甲部分１１Ａに形成されている人差し指甲部分取付縁部４５、中指甲部分取付縁部４６、薬指甲部分取付縁部４７に接続されていて、人差し指甲部分取付縁部４５、中指甲部分取付縁部４６、及び薬指甲部分取付縁部４７は、人差し指５３、中指５４及び薬指５５の甲側の各付け根５３ｂ，５４ｂ，５５ｂよりも手５０の手首側に位置しているので、人差し指５３、中指５４、薬指５５の甲側の各付け根５３ｂ，５４ｂ，５５ｂと人差し指甲部分取付縁部４５、中指甲部分取付縁部４６及び薬指甲部分取付縁部４７との間の領域を大きく形成することが容易にでき、この領域がたるみとなる。その結果、人差し指５３、中指５４、薬指５５を曲げたとき、手袋１０Ｄの甲側において、人差し指５３、中指５４及び薬指５５の各付け根の下方に生じる皮膚の盛り上がりを余裕をもって包み込むので、素材のひきつりによる窮屈感、換言すれば手５０の甲５１における第１関節付近での圧迫感が軽減されて人差し指５３、中指５４及び薬指５５の屈伸動作が軽快になる。
【符号の説明】
【００４５】
５０  着用者の手
５１  甲
５２  掌
５３  人差し指
５４  中指
５５  薬指
５６  小指
５７  親指
１０Ａ，１０Ｂ，１０Ｃ，１０Ｄ  手袋
１１Ａ  甲部分
１１Ｂ  掌部分
１２Ａ  手袋本体
１２Ｂ  手袋本体
１２Ｃ  手袋本体
１２Ｄ  手袋本体
１３  人差し指部分
１４  中指部分
１５  薬指部分
１６  小指部分
１３ａ〜１６ａ  指甲部分
１３ｂ，１６ｂ  指掌部分
１７  親指部分
３５ｃ  人差し指掌部分付根端縁
４２ｃ  人差し指甲部分付根端縁
１４ｅ  中指掌部分付根端縁
３１ｃ  中指甲部分付根端縁
１５ｅ  薬指掌部分付根端縁
３２ｃ  薬指甲部分付根端縁
３８  人差し指掌部分取付縁部
４５  人差し指甲部分取付縁部
２３，３９  中指掌部分取付縁部
２９，４６  中指甲部分取付縁部
２４，４０  薬指掌部分取付縁部
３０，４７  薬指甲部分取付縁部
５３ａ  人差し指掌側付け根
５３ｂ  人差し指甲側付け根
５４ａ  中指掌側付け根
５４ｂ  中指甲側付け根
５５ａ  薬指掌側付け根
５５ｂ  薬指甲側付け根
【図１】
0003150717.tif 000003
【図２】
0003150717.tif 000004
【図３】
0003150717.tif 000005
【図４】
0003150717.tif 000006
【図５】
0003150717.tif 000007
【図６】
0003150717.tif 000008
【図７】
0003150717.tif 000009
【図８】
0003150717.tif 000010
【図９】
0003150717.tif 000011